(57)【要約】【課題】バッグは立体的な包装物である。風呂敷は平らなシート状のものからなっており、普段は折り畳んで持ち運びでき、物を包装するときにそれを広げて立体的に包み込むという簡便な包装物である。【解決手段】図１の如くに、一対の持ち手２が円形のシート１の両極に設けられ、そこに紐通し穴３がある。そこに、一対の絞り込み紐４が挿入されている。さらに、一対の絞り込みストッパー５がぞの中央部４ａに設けられてこのシートを絞り込むようになっている。そして、図１のものの両側を内側に折り曲げ図４の如くにする。そして、その中央を水平状に折り曲げて、その（株）をその上部に重ねる。この状態で収納袋に入れて容易に持ち運びが出来る。【選択図】図１
2011147634.tif 000002
【特許請求の範囲】
【請求項１】
円形のシート、該円形のシートの両極に設けられた一対の開閉口、該一対の開閉口にそれぞれ設けられた持ち手、上記の一対の開閉口のそれぞれの外端から上記の円形のシートの外縁に沿ってそれぞれに半円状に点在して設けられた多数の紐通し穴、該紐通し穴にそれぞれに挿入されたものであってそれぞれの両端部が上記の持ち手の外端に結合された一対の絞り込み紐、該一対の絞り込み紐のそれぞれの中央部に設けられたものであってそれぞれの外端方向にスライド可能な一対の絞り込みストッパー、より構成されることを特徴とした折り畳み・絞り外組立てバッグ。
【請求項２】
円形のシート、該円形のシートの両極に着脱自在に設けられた一対の開閉口、該一対の開閉口にそれぞれ設けられた持ち手、上記の一対の開閉口のそれぞれの外端から上記の円形のシートの外縁に沿ってそれぞれに半円状に点在して設けられた多数の紐通し穴、該紐通し穴にそれぞれに挿入されたものであってそれぞれの両端部が上記の持ち手の外端に結合された一対の絞り込み紐、該一対の絞り込み紐のそれぞれの中央部に設けられたものであってそれぞれの外端方向にスライド可能な一対の絞り込みストッパー、より構成されることを特徴とした折り畳み・絞り組み立てバッグ。
【発明の詳細な説明】
【技術分野】
【０００１】
本発明は、広くはバックに関するものであり、特に折り込みと組み立てが可能なバッグに関するものである。就中、風呂敷のように開かれて畳み込まれることが可能で、一方巾着のように絞り込みの組み立てが可能なバッグに関するものである。
【背景技術】
【０００２】
従来バッグは、物を運ぶときにそれらをそのバッグに入れて持ち歩くように立体的な包装物として作られている。一方、風呂敷は、バックのような立体的な包装物ではなく、平らなシート状の物からなっており、普段は折り畳んで持ち運びでき、物を包装するときにそれを広げて立体的に包み込むという簡便な包装物である。
【発明の開示】
【発明が解決しようとする課題】
【０００３】
しかして、本願発明が解決しようとする問題点は、バッグは、物を持ち歩くときには物を落とすことがなく安全ではあるが、そのバッグを物の包装に使用しないで単に持ち歩いたり保管したりするときには場所を取り不便である。一方、風呂敷は、その結び目がほどけやすくて、物を包装して持ち歩くときにその結び目がほどけて物を落としてしまうことがある。しかして、本願発明は、丁度巾着をより便利にオープン状にしたものであり、その絞り込み紐を最大にゆるめると風呂敷の如くに平らなシートになり、折り畳むことも可能になる。一方、その紐を目一杯絞ると、巾着の如くにたちちまちバッグ状の運搬袋になると言う優れたものである。
【課題を解決するための手段】
【０００４】
本発明にかかる折り畳み・絞り組み立てバッグは、以上の課題を解決するために、上記した両者の特長を生かして、上記した両者の欠点を取り除いた運搬袋とした。
【０００５】
以下に、本発明にかかる折り畳み・絞り組み立てバッグの具体的な構成を詳細に記載する。最初に、本発明の請求項１に記載した発明の構成を説明する。この発明は、まず、円形のシートがある。つぎに、一対の開閉口がある。この一対の開閉口は、上記の円形のシートの両極に設けられたものである。そして、持ち手がある。この持ち手は、上記の一対の開閉口にそれぞれ設けられたものである。さらに、多数の紐通し穴がある。この多数の紐通し穴は、上記の開閉口のそれぞれの外端から上記の円形のシートの外縁に沿ってそれぞれに半円状に点在して設けられたものである。さらに、一対の絞り込み紐がある。この一対の絞り込み紐は、上記の紐通し穴にそれぞれに挿入されたものであって、それぞれの両端部が上記の持ち手の外端に結合されたものである。そして、一対の絞り込みストッパーがある。この一対の絞り込みストッパーは、上記の一対の絞り込み紐のそれぞれの中央部に設けられたものであって、それぞれの端部方向にスライド可能なものである。
【０００６】
つぎに、本発明にかかる折り畳み・絞り組み立てバッグの請求項２に記載した発明の構成を説明する。この発明は、以下の点以外は上記の請求項１の発明の構成と同一である。それゆえに、上記の請求項１の発明の構成の説明の全文をここに援用して、以下の構成の説明をこれに追加する。この発明と上記の請求項１の発明の構成との差異は、上記の一対の持ち手である。この一対の持ち手は、上記の円形のシートの両極に着脱自在に設けられたものである。
【発明の効果】
【０００７】
本発明にかかる折り畳み・絞り組み立てバッグは、以上のごとくになしたゆえに、上記の課題を解決して以下のごとき多大な効果が生じた。すなわち、この折り畳み・絞り組み立てバッグバッグは、一般のバッグのように、物を持ち歩くときには物を落とすことがなく安全ではある。しかし、そのバッグを物の包装に使用しないで単に持ち歩いたり保管したりするときに、巾着をより便利にオープン状にしたものとなり、その絞り込み紐を最大にゆるめると風呂敷の如くに平らなシートになり、折り畳むことも可能になる。一方、その紐を目一杯絞ると、巾着の如くにたちちまちバッグ状の運搬袋になると言う優れたもの
【発明を実施するための最良の形態】
【０００８】
しかして、本発明にかかる折り畳み・絞り組み立てバッグは、一対の持ち手が円形のシートの両極に設けられ、このシートには紐通し穴があり、一対の絞り込み紐が挿入されている。さらに、一対の絞り込みストッパーがぞの中央部に設けられてこのシートを絞り込むようになっている故に、この絞り込み紐を絞ることでたちまち巾着のようにバックが構成されると言う利点がある。
【実施例１】
【０００９】
しかして、本発明にかかる折り畳み・絞り組み立てバッグをその具体的な実施例を用いて添付の図面と共に詳細に述べる。最初に、本発明の請求項１に記載した発明の実施例を説明する。この発明は、図１に示す展開平面図の如くに、厚手の布や薄革製や軟らかな合成樹脂製の円形のシート１がある。つぎに、
る。最初に、本発明の請求項１に記載した発明の構成を説明する。この発明は、まず、円形のシートがある。つぎに、一対の開閉口７がある。この一対の開閉口７は、上記の円形のシート１の両極に設けられたものである。そして、一対の持ち手２がある。この持ち手２は、上記の一対の開閉口７にそれぞれ設けられたものである。さらに、多数の紐通し穴３がある。この多数の紐通し穴３は、上記の開閉口７のそれぞれの外端２ａから上記の円形のシート１の外縁１ａに沿ってそれぞれに半円状で等間隔に点在して設けられたものである。さらに、一対の絞り込み紐４がある。この一対の絞り込み紐４は、上記の多数の紐通し穴３にそれぞれに波形状に縫い込まれるような状態で挿入されたものであって、それぞれの両端部４ｂが上記の持ち手２の外端２ａに結合されたものである。そして、一対の絞り込みストッパー５がある。この一対の絞り込みストッパー５は、上記の一対の絞り込み紐４のそれぞれの中央部４ａ（図２と３および６も参照）に設けられたものであって、それぞれの絞り込み紐４の紐外端４ｂ方向にスライド可能なものである。
【００１０】
また、開閉口綴じ込み手段がある。本実施例では、これを一対のマグネット６にした。このマグネット６は、本発明にかかる折り畳み・絞り組み立てバッグの開閉口７を閉じるためのものである。最後に、ポケット８がある。このポケット８は、このバッグの内側に設けられたもので小物入れ用のものである。
【実施例２】
【００１１】
つぎに、本発明にかかる折り畳み・絞り組み立てバッグの請求項２に記載した発明の実施例を説明する。この発明は、以下の点以外は上記の請求項１の発明の実施例と同一である。それゆえに、上記の請求項１の発明の実施例の説明の全文をここに援用して、以下の実施例の説明をこれに追加する。この発明と上記の請求項１の発明の実施例との差異は、上記の一対の持ち手２である。この一対の持ち手２は、上記の円形のシート１の両極に開閉口７（上記の持ち手外端２ａと共通）と伴に設けられたものであるが、請求項１の実施例のように固着ではなく着脱自在に設けられたものである。
【実施例３】
【００１２】
しかして、先ず、図１の円形のシート１の一方の絞り紐４を絞り込み、その絞り込みストッパー５と伴に図２の如くにする。つづいて、図１の円形のシート１の残りの一方の絞り紐４を絞り込み、その絞り込みストッパー５と伴に図３の如くにする。その後に、その絞り込んだシート１を整えて図３の如くにバックに整形する。
【実施例４】
【００１３】
一方、図１の円形のシート１の両側を内側に折り曲げ図５の如くにする。そして、その中央を水平状に折り曲げて、その下部をその上部に重ね図６の状態にする。この状態で図７のように収納袋９に入れて容易に持ち運びが出来る。
【産業上の利用可能性】
【００１４】
従来のバッグの観念を越えた補助用の携帯型の新たな分野が開かれた。
【図面の簡単な説明】
【００１５】
【図１】本発明にかかる折り畳み・絞り組み立てバッグの一実施例の展開平面図を示したものである。
【図２】図１の実施例の絞り込み紐の一方を絞った時点の平面図である。
【図３】図２の実施例の絞り込み紐の残りの一方をも絞った時点の平面図を示したものである。
【図４】図２の状態からその形状を膨らませて、バックの外形に整わせた状態の正面図を示したものである。
【図５】図２の状態からその形状を膨らませて、バックの外形に整わせた状態の側面図である。
【図６】図１の円形のシートの両端を内側に折り込んだ状態の平面図を示したものである。
【図７】図６のものの中程を折り曲げてその下部をその上部に重ね合わせた状態の正面図である。
【図８】図７のものを収納袋に収納した状態の正面図である。
【符号の説明】
【００１６】
１  円形のシート
１ａ  外縁
２  一対の持ち手
２ａ  持ち手が異端
３  紐通し穴
４  一対の絞り込み紐
４ａ  中央部
４ｂ  紐外端
５  一対の絞り込みストッパー
６  一対のマグネット
７  開閉口
８  ポケット
９  収納袋
【図１】
2011147634.tif 000003
【図２】
2011147634.tif 000004
【図３】
2011147634.tif 000005
【図４】
2011147634.tif 000006
【図５】
2011147634.tif 000007
【図６】
2011147634.tif 000008
【図７】
2011147634.tif 000009
【図８】
2011147634.tif 000010
【手続補正書】
【提出日】平成22年1月27日(2010.1.27)
【手続補正１】
【補正対象書類名】特許請求の範囲
【補正対象項目名】請求項１
【補正方法】変更
【補正の内容】
【請求項１】
円形のシート、該円形のシートの縁であって対称となる任意の箇所に設けられた一対の開閉口、該一対の開閉口にそれぞれ設けられた持ち手、上記の一対の開閉口のそれぞれの外端から上記の円形のシートの外縁に沿ってそれぞれに半円状に点在して設けられた多数の紐通し穴、該紐通し穴にそれぞれに挿入されたものであってそれぞれの両端部が上記の持ち手の外端に結合された一対の絞り込み紐、該一対の絞り込み紐のそれぞれの中央部に設けられたものであってそれぞれの外端方向にスライド可能な一対の絞り込みストッパー、より構成されることを特徴とした折り畳み・絞り外組立てバッグ。
【手続補正２】
【補正対象書類名】特許請求の範囲
【補正対象項目名】請求項２
【補正方法】変更
【補正の内容】
【請求項２】
円形のシート、該円形のシートの縁であって対称となる任意の箇所に着脱自在に設けられた一対の開閉口、該一対の開閉口にそれぞれ設けられた持ち手、上記の一対の開閉口のそれぞれの外端から上記の円形のシートの外縁に沿ってそれぞれに半円状に点在して設けられた多数の紐通し穴、該紐通し穴にそれぞれに挿入されたものであってそれぞれの両端部が上記の持ち手の外端に結合された一対の絞り込み紐、該一対の絞り込み紐のそれぞれの中央部に設けられたものであってそれぞれの外端方向にスライド可能な一対の絞り込みストッパー、より構成されることを特徴とした折り畳み・絞り組み立てバッグ。
【手続補正３】
【補正対象書類名】明細書
【補正対象項目名】０００５
【補正方法】変更
【補正の内容】
【０００５】
以下に、本発明にかかる折り畳み・絞り組み立てバッグの具体的な構成を詳細に記載する。最初に、本発明の請求項１に記載した発明の構成を説明する。この発明は、まず、円形のシートがある。つぎに、一対の開閉口がある。この一対の開閉口は、上記の円形のシートの縁であって対称となる任意の箇所に設けられたものである。そして、持ち手がある。この持ち手は、上記の一対の開閉口にそれぞれ設けられたものである。さらに、多数の紐通し穴がある。この多数の紐通し穴は、上記の開閉口のそれぞれの外端から上記の円形のシートの外縁に沿ってそれぞれに半円状に点在して設けられたものである。さらに、一対の絞り込み紐がある。この一対の絞り込み紐は、上記の紐通し穴にそれぞれに挿入されたものであって、それぞれの両端部が上記の持ち手の外端に結合されたものである。そして、一対の絞り込みストッパーがある。この一対の絞り込みストッパーは、上記の一対の絞り込み紐のそれぞれの中央部に設けられたものであって、それぞれの端部方向にスライド可能なものである。
【手続補正４】
【補正対象書類名】明細書
【補正対象項目名】０００６
【補正方法】変更
【補正の内容】
【０００６】
つぎに、本発明にかかる折り畳み・絞り組み立てバッグの請求項２に記載した発明の構成を説明する。この発明は、以下の点以外は上記の請求項１の発明の構成と同一である。それゆえに、上記の請求項１の発明の構成の説明の全文をここに援用して、以下の構成の説明をこれに追加する。この発明と上記の請求項１の発明の構成との差異は、上記の一対の持ち手である。この一対の持ち手は、上記の円形のシートの縁であって対称となる任意の箇所に着脱自在に設けられたものである。
【手続補正５】
【補正対象書類名】明細書
【補正対象項目名】０００８
【補正方法】変更
【補正の内容】
【０００８】
しかして、本発明にかかる折り畳み・絞り組み立てバッグは、一対の持ち手が円形のシートの縁であって対称となる任意の箇所に設けられ、このシートには紐通し穴があり、一対の絞り込み紐が挿入されている。さらに、一対の絞り込みストッパーがぞの中央部に設けられてこのシートを絞り込むようになっている故に、この絞り込み紐を絞ることでたちまち巾着のようにバックが構成されると言う利点がある。
【手続補正６】
【補正対象書類名】明細書
【補正対象項目名】０００９
【補正方法】変更
【補正の内容】
【０００９】
しかして、本発明にかかる折り畳み・絞り組み立てバッグをその具体的な実施例を用いて添付の図面と共に詳細に述べる。最初に、本発明の請求項１に記載した発明の実施例を説明する。この発明は、図１に示す展開平面図の如くに、厚手の布や薄革製や軟らかな合成樹脂製の円形のシート１がある。つぎに、
る。最初に、本発明の請求項１に記載した発明の構成を説明する。この発明は、まず、円形のシートがある。つぎに、一対の開閉口７がある。この一対の開閉口７は、上記の円形のシート１の縁であって対称となる任意の箇所に設けられたものである。そして、一対の持ち手２がある。この持ち手２は、上記の一対の開閉口７にそれぞれ設けられたものである。さらに、多数の紐通し穴３がある。この多数の紐通し穴３は、上記の開閉口７のそれぞれの外端２ａから上記の円形のシート１の外縁１ａに沿ってそれぞれに半円状で等間隔に点在して設けられたものである。さらに、一対の絞り込み紐４がある。この一対の絞り込み紐４は、上記の多数の紐通し穴３にそれぞれに波形状に縫い込まれるような状態で挿入されたものであって、それぞれの両端部４ｂが上記の持ち手２の外端２ａに結合されたものである。そして、一対の絞り込みストッパー５がある。この一対の絞り込みストッパー５は、上記の一対の絞り込み紐４のそれぞれの中央部４ａ（図２と３および６も参照）に設けられたものであって、それぞれの絞り込み紐４の紐外端４ｂ方向にスライド可能なものである。
【手続補正７】
【補正対象書類名】明細書
【補正対象項目名】００１１
【補正方法】変更
【補正の内容】
【００１１】
つぎに、本発明にかかる折り畳み・絞り組み立てバッグの請求項２に記載した発明の実施例を説明する。この発明は、以下の点以外は上記の請求項１の発明の実施例と同一である。それゆえに、上記の請求項１の発明の実施例の説明の全文をここに援用して、以下の実施例の説明をこれに追加する。この発明と上記の請求項１の発明の実施例との差異は、上記の一対の持ち手２である。この一対の持ち手２は、上記の円形のシート１の縁であって対称となる任意の箇所に開閉口７（上記の持ち手外端２ａと共通）と伴に設けられたものであるが、請求項１の実施例のように固着ではなく着脱自在に設けられたものである。
【手続補正書】
【提出日】平成22年2月1日(2010.2.1)
【手続補正１】
【補正対象書類名】特許請求の範囲
【補正対象項目名】請求項１
【補正方法】変更
【補正の内容】
【請求項１】
円形のシート、該円形のシートの縁であって対称となる任意の箇所に設けられた一対の開閉口、該一対の開閉口にそれぞれ設けられた持ち手、上記の一対の開閉口のそれぞれの外端から上記の円形のシートの外縁に沿ってそれぞれに半円状に点在して設けられた多数の紐通し穴、該紐通し穴にそれぞれに挿入されたものであってそれぞれの両端部が上記の持ち手の外端に結合された一対の絞り込み紐、該一対の絞り込み紐のそれぞれの中央部に設けられたものであってそれぞれの外端方向にスライド可能な一対の絞り込みストッパー、より構成されることを特徴とした折り畳み・絞り外組立てバッグ。
【手続補正２】
【補正対象書類名】特許請求の範囲
【補正対象項目名】請求項２
【補正方法】変更
【補正の内容】
【請求項２】
円形のシート、該円形のシートの縁であって対称となる任意の箇所に着脱自在に設けられた一対の開閉口、該一対の開閉口にそれぞれ設けられた持ち手、上記の一対の開閉口のそれぞれの外端から上記の円形のシートの外縁に沿ってそれぞれに半円状に点在して設けられた多数の紐通し穴、該紐通し穴にそれぞれに挿入されたものであってそれぞれの両端部が上記の持ち手の外端に結合された一対の絞り込み紐、該一対の絞り込み紐のそれぞれの中央部に設けられたものであってそれぞれの外端方向にスライド可能な一対の絞り込みストッパー、より構成されることを特徴とした折り畳み・絞り組み立てバッグ。
【手続補正３】
【補正対象書類名】明細書
【補正対象項目名】０００５
【補正方法】変更
【補正の内容】
【０００５】
以下に、本発明にかかる折り畳み・絞り組み立てバッグの具体的な構成を詳細に記載する。最初に、本発明の請求項１に記載した発明の構成を説明する。この発明は、まず、円形のシートがある。つぎに、一対の開閉口がある。この一対の開閉口は、上記の円形のシートの縁であって対称となる任意の箇所に設けられたものである。そして、持ち手がある。この持ち手は、上記の一対の開閉口にそれぞれ設けられたものである。さらに、多数の紐通し穴がある。この多数の紐通し穴は、上記の開閉口のそれぞれの外端から上記の円形のシートの外縁に沿ってそれぞれに半円状に点在して設けられたものである。さらに、一対の絞り込み紐がある。この一対の絞り込み紐は、上記の紐通し穴にそれぞれに挿入されたものであって、それぞれの両端部が上記の持ち手の外端に結合されたものである。そして、一対の絞り込みストッパーがある。この一対の絞り込みストッパーは、上記の一対の絞り込み紐のそれぞれの中央部に設けられたものであって、それぞれの端部方向にスライド可能なものである。
【手続補正４】
【補正対象書類名】明細書
【補正対象項目名】０００６
【補正方法】変更
【補正の内容】
【０００６】
つぎに、本発明にかかる折り畳み・絞り組み立てバッグの請求項２に記載した発明の構成を説明する。この発明は、以下の点以外は上記の請求項１の発明の構成と同一である。それゆえに、上記の請求項１の発明の構成の説明の全文をここに援用して、以下の構成の説明をこれに追加する。この発明と上記の請求項１の発明の構成との差異は、上記の一対の持ち手である。この一対の持ち手は、上記の円形のシートの縁であって対称となる任意の箇所に着脱自在に設けられたものである。
【手続補正５】
【補正対象書類名】明細書
【補正対象項目名】０００８
【補正方法】変更
【補正の内容】
【０００８】
しかして、本発明にかかる折り畳み・絞り組み立てバッグは、一対の持ち手が円形のシートの縁であって対称となる任意の箇所に設けられ、このシートには紐通し穴があり、一対の絞り込み紐が挿入されている。さらに、一対の絞り込みストッパーがぞの中央部に設けられてこのシートを絞り込むようになっている故に、この絞り込み紐を絞ることでたちまち巾着のようにバックが構成されると言う利点がある。
【手続補正６】
【補正対象書類名】明細書
【補正対象項目名】０００９
【補正方法】変更
【補正の内容】
【０００９】
しかして、本発明にかかる折り畳み・絞り組み立てバッグをその具体的な実施例を用いて添付の図面と共に詳細に述べる。最初に、本発明の請求項１に記載した発明の実施例を説明する。この発明は、図１に示す展開平面図の如くに、厚手の布や薄革製や軟らかな合成樹脂製の円形のシート１がある。つぎに、一対の開閉口７がある。この一対の開閉口７は、上記の円形のシート１の縁であって対称となる任意の箇所に設けられたものである。そして、一対の持ち手２がある。この持ち手２は、上記の一対の開閉口７にそれぞれ設けられたものである。さらに、多数の紐通し穴３がある。この多数の紐通し穴３は、上記の開閉口７のそれぞれの外端２ａから上記の円形のシート１の外縁１ａに沿ってそれぞれに半円状で等間隔に点在して設けられたものである。さらに、一対の絞り込み紐４がある。この一対の絞り込み紐４は、上記の多数の紐通し穴３にそれぞれに波形状に縫い込まれるような状態で挿入されたものであって、それぞれの両端部４ｂが上記の持ち手２の外端２ａに結合されたものである。そして、一対の絞り込みストッパー５がある。この一対の絞り込みストッパー５は、上記の一対の絞り込み紐４のそれぞれの中央部４ａ（図２と３および６も参照）に設けられたものであって、それぞれの絞り込み紐４の紐外端４ｂ方向にスライド可能なものである。
【手続補正７】
【補正対象書類名】明細書
【補正対象項目名】００１１
【補正方法】変更
【補正の内容】
【００１１】
つぎに、本発明にかかる折り畳み・絞り組み立てバッグの請求項２に記載した発明の実施例を説明する。この発明は、以下の点以外は上記の請求項１の発明の実施例と同一である。それゆえに、上記の請求項１の発明の実施例の説明の全文をここに援用して、以下の実施例の説明をこれに追加する。この発明と上記の請求項１の発明の実施例との差異は、上記の一対の持ち手２である。この一対の持ち手２は、上記の円形のシート１の縁であって対称となる任意の箇所に開閉口７（上記の持ち手外端２ａと共通）と伴に設けられたものであるが、請求項１の実施例のように固着ではなく着脱自在に設けられたものである。